(57)【要約】【課題】  色彩が微妙に変化して装飾性が豊かになる時計用文字板を提供する。【解決手段】  文字板基板４１の全面又は一部の面に、平坦な下面に裏打ち色彩膜４２を設けて上面４３ａが球面又は非球面の形状をなす貝や貴石などの光透過性基板４３を粘着剤４４を介して設ける。光透過性基板４３の厚みが変化することによって光透過性基板４３の色彩が裏打ち色彩膜４２の色彩の影響を受け微妙に変化する。厚い所は影響が少なく、光透過性基板４３の色彩が強く現れ、薄い所は強く受けて裏打ち色彩膜４２の色彩が混じり合ってくる。【選択図】        図３
2005207844.tif 000002
【特許請求の範囲】
【請求項１】
文字板基板の全面又は一部の面に、その平坦な下面に裏打ち色彩膜を設けて上面が球面又は非球面の形状をなす光透過性基板を設けたことを特徴とする時計用文字板。
【請求項２】
前記光透過性基板は、貝又は貴石などからなることを特徴とする請求項１に記載の時計用文字板。
【請求項３】
前記光透過性基板の平坦な下面に設けた裏打ち色彩膜は、白色，黒色，ブルー色，オレンジ色，ゴールド色，シルバー色などの少なくとも１種からなる色彩を持った色彩膜であることを特徴とする請求項１又は２に記載の時計用文字板。
【請求項４】
前記光透過性基板の球面又は非球面の形状をなす面は光沢面になっていることを特徴とする請求項１又は２に記載の時計用文字板。
【請求項５】
前記光透過性基板の非球面の形状は、シリンドル形，凹シリンドル形，波形などからなることを特徴とする請求項１、２、４のいずれか１つに記載の時計用文字板。
【請求項６】
前記光透過性基板の平坦な下面に設けた裏打ち色彩膜に蛍光剤が分散していることを特徴とする請求項１、２、３のいずれか１つに記載の時計用文字板。
【請求項７】
前記光透過性基板は、前記文字板基板の一部の面に形成した凹部に設けられていることを特徴とする請求項１又は２に記載の時計用文字板。
【請求項８】
前記文字板基板は、一部の面に前記光透過性基板を設けると共に、他の面に凹凸のある模様を設けたことを特徴とする請求項１又は７に記載の時計用文字板。
【請求項９】
前記文字板基板は、光透過性を有することを特徴とする請求項１、７、８のいずれか１つに記載の時計用文字板。
【請求項１０】
前記光透過性基板は、白蝶貝，あわび貝，あこや貝などからなることを特徴とする請求項１又は２に記載の時計用文字板。
【請求項１１】
前記光透過性基板は、オパール，カルセドニ，ルビー，サファイア，ヒスイ，琥珀などからなることを特徴とする請求項１又は２に記載の時計用文字板。
【請求項１２】
貝や貴石などを用いた時計用文字板を組込んだ携帯時計であって、前記請求項１乃至１１のいずれか１つに記載の時計用文字板を組み込んで、文字板上に貝や貴石などの色彩と、裏打ち色彩膜から現れる濃淡のある色彩模様とが現れるようにしたことを特徴とする携帯時計。
【発明の詳細な説明】
【技術分野】
【０００１】
本発明は、携帯時計の時計用文字板に係わるもので、特に、貝や貴石を用いた時計用文字板とそれを備えた携帯時計に関する。
【背景技術】
【０００２】
貝や貴石を用いた時計用文字板は数多く作られている。貝や貴石を用いることにより貝独特の色彩や貴石独特の色彩が現れて時計に美しさと高級感を与える。
【０００３】
また、貝や貴石を用いた時計用文字板の技術も数多く開示されている。その中で、デザイン的に変化を持たせたものとして、下記に示す特許文献１に開示された技術がある。
【０００４】
【特許文献１】特開平６−４３２６４号公報
【０００５】
図１１、図１２に示すものは、上記特許文献１に示されたところの貝曲面文字板の概略斜視図（図１１）と断面図（図１２）である。ここでの貝曲面文字板１は９時−３時方向を平坦面とし、１２時−６時方向を曲面とした貝曲面文字板で、湾曲した貝基板３と湾曲した金属基板２とが粘着剤４を介して貼合せした構造を取っている。そして、エト足５が９時−３時方向の金属基板２の下面に２本ロー付けされており、時字６が貝基板３の上面に印刷により形成されている。
【０００６】
この貝曲面文字板１の製造方法は、エト足５がロー付けされた薄い平坦な金属基板２と平坦な貝基板３とを粘着剤４で貼合せた後、印刷方法で時字６を貝基板３の上面に形成し、その後、６０°〜８０°の湯の中に約５分間浸漬して貝基板３を十分軟らかくする。そして、その後プレス方法で湾曲に成形する方法を取っているものである。
【０００７】
これによって、効果として、貝に割れが発生せず、デザインに変化を持った貝文字板が提供できたとされている。
【０００８】
また、１枚の貝基板で複数の貝基板を組み合わせたように見せかけて装飾性を高めたものとして、下記に示す特許文献２に開示された技術がある。
【０００９】
【特許文献２】特開平３−１８６７８９号公報
【００１０】
図１３、図１４、図１５に示すものは、上記特許文献２に示されたところのもので、図１３は時計用文字板の平面図で、図１４は図１３における時計用文字板の要部断面図を示している。また、図１５は図１３における時計用文字板の製造工程を示す断面図を示している。
【００１１】
この時計用文字板１０は、りん青銅，洋白などの金属材料からなる金属基板１１上に、下面全体に有色樹脂層１３が形成された透過性の白蝶貝またはアワビ貝などの貝基板１２が接着層１４により金属基板１１と固着した構造を取っている。そして、貝基板１２は漂白または染色により部分的に変色部１２ａが形成されており、また、上面には時字，マーク，指標などの印刷物１５を設けた構造になっている。
【００１２】
また、この時計用文字板１０は、図１５に示す製造工程の下で制作される。先ず、透過性の白蝶貝またはアワビ貝などの貝を文字板形状にプレス抜きして貝基板１２を製作する（ａ図）。次に、漂白または染色したい部分以外の部分にスクリーン印刷などでレジスト
膜１６を形成し（ｂ図）、Ｈ2Ｏ2による漂白、または、油性，水性などの染料にて染色して変色部１２ａを形成する（ｃ図）。次に、レジスト膜１６を剥離し（ｄ図）、下面に有色樹脂層１３を印刷形成する（ｅ図）。そして、貝基板１２に形成された有色樹脂層１３とりん青銅または洋白などからなる金属基板１１とを粘着テープまたは接着剤などの接着層１４を介して固着し（ｆ図）、最後に、貝基板１２の上面に時字，マーク，指標などの印刷物１５を印刷して（ｇ図）、時計用文字板１０の完成を見る。
【００１３】
このような構造を取ることにより、貝基板１２の変色部１２ａにおける色調と、変色部１２ａ以外の部分における色調とが異なった色調を示し、１枚の貝基板でありながら複数の貝基板を組み合わせたように見え、装飾性豊かな文字板が得られるとされている。また、有色樹脂層１３の色調と貝基板１２の変色部１２ａの色調との色の組み合わせが種々可能となることからバラエティーに富んだ装飾文字板が得られるとされている。
【発明の開示】
【発明が解決しようとする課題】
【００１４】
しかしながら、上記特許文献１に示された技術の下では、従来平坦な貝基板を用いて形成していた文字板と比較すると、貝基板が湾曲していてデザインとしては変化のある貝文字板が得られるものの、貝と金属との熱膨張率の違いなどから粘着剤が剥離し易く、長い時間の中で貝基板と金属基板が剥がれると云う問題が発生する。また、貝独特の模様や色彩は平坦時と比べて特に大きく変化すると云うものでもなく、色彩の変化や装飾性の変化に今一乏しさを感じられるものとなっている。
【００１５】
また、特許文献２に示された技術の下では、主に有色樹脂層の色調と貝基板の色調と貝基板の変色部の色調とでそれらの組み合わさった色調を出現させるもので、例えば１枚の文字板で見ると、変色部分のところに現れる色調と変色部以外の部分のところに現れる色調との２種類の色調が現れる。従って、この２種類の異なる色調でもって２種類の貝を用いている如く見せかける内容になっているものである。しかしながら、それぞれ個々の色調を取ってみると、それらの色調の中に変化がなく一様な色調を呈するものとなっている。このようなことから、色調の変化に乏しいものになっている。
【００１６】
本発明は、このような課題に鑑みて成されたもので、貝や貴石などを用いた時計用文字板において、文字板の基板と貝や貴石とが剥がれることがなく、尚かつ、貝や貴石が持っている独特の色彩に微妙に変化が現れて、装飾性が豊かになる文字板を得ることを目的とするものである。
【課題を解決するための手段】
【００１７】
上記の課題を解決するための手段として、本発明の請求項１に記載の時計用文字板は、文字板基板の全面又は一部の面に、その平坦な下面に裏打ち色彩膜を設けて上面が球面又は非球面の形状をなす光透過性基板を設けたことを特徴とするものである。
【００１８】
また、本発明の請求項２に記載の時計用文字板は、前記の光透過性基板が貝又は貴石などからなることを特徴とするものである。
【００１９】
また、本発明の請求項３に記載の時計用文字板は、前記の光透過性基板の平坦な下面に設けた裏打ち色彩膜は、白色，黒色，ブルー色，オレンジ色，ゴールド色，シルバー色などの少なくとも１種からなる色彩を持った色彩膜であることを特徴とするものである。
【００２０】
また、本発明の請求項４に記載の時計用文字板は、前記の光透過性基板の球面又は非球面の形状をなす面が光沢面になっていることを特徴とするものである。
【００２１】
また、本発明の請求項５に記載の時計用文字板は、前記の光透過性基板の非球面の形状がシリンドル形，凹シリンドル形，波形などからなることを特徴とするものである。
【００２２】
また、本発明の請求項６に記載の時計用文字板は、前記の光透過性基板の平坦な下面に設けた裏打ち色彩膜に蛍光剤が分散していることを特徴とするものである。
【００２３】
また、本発明の請求項７に記載の時計用文字板は、前記の光透過性基板が前記文字板基板の一部の面に形成した凹部に設けられていることを特徴とするものである。
【００２４】
また、本発明の請求項８に記載の時計用文字板は、前記の文字板基板で、一部の面に前記光透過性基板を設けると共に他の面に凹凸のある模様を設けたことを特徴とするものである。
【００２５】
また、本発明の請求項９に記載の時計用文字板は、前記の文字板基板が光透過性を有することを特徴とするものである。
【００２６】
また、本発明の請求項１０に記載の時計用文字板は、前記の光透過性基板が白蝶貝，あわび貝，あこや貝などからなることを特徴とするものである。
【００２７】
また、本発明の請求項１１に記載の時計用文字板は、前記の光透過性基板がオパール，カルセドニ，ルビー，サファイア，ヒスイ，琥珀などからなることを特徴とするものである。
【００２８】
また、本発明の請求項１２に記載の携帯時計は、貝や貴石などを用いた時計用文字板を組込んだ携帯時計であって、前記の請求項１乃至１１のいずれか１つに記載の時計用文字板を組み込んで、文字板上に貝や貴石などの色彩と、裏打ち色彩膜から現れる濃淡のある色彩模様とが現れるようにしたことを特徴とするものである。
【発明の効果】
【００２９】
本発明の請求項１に記載の発明の下では、文字板基板の全面または一部の面に下面が平坦で上面が球面または非球面の形状をなす光透過性基板を設けている。従って、光透過性基板が球面または非球面の形状をなしていることによって、光透過性基板の厚みが場所によってそれぞれ異なる。そして、厚みの違いによって光透過率もそれぞれ異なってくる。また、光透過性基板の平坦な下面には裏打ち色彩膜を設けている。従って、この裏打ち色彩膜の色彩が光透過性基板の上面側から視認することができるが、光透過性基板が場所によってそれぞれ透過率が異なるために裏打ち色彩膜からの反射光に強弱が現れ、色彩膜の色彩に濃淡が現れてくる。この濃淡は、光透過性基板の上面が球面を成していると、例えば、凸球面をなしていると中心部は淡い色彩となり、外周部にいくに従って徐々に濃くなる色彩が現れる。逆に、凹球面をなしていると外周部が淡く、中心部にいくに従って濃い色彩が現れる。このように、球面の場合はなだらかに色彩が変化する。非球面の場合は、非球面の形状に合わせた形で色彩の濃淡が変化する。例えば、本発明の請求項５に記載の如く、並行的に進んでくる波形の形状をなすばあいは、濃い色彩と淡い色彩とが順次連なって現れてくる。しかも、その濃淡が急に変わって連なるのではなく徐々に変化しながら連なる色彩が現れる。
【００３０】
また、本発明の請求項２に記載の発明の下では、光透過性基板が貝または貴石からなる。貝や貴石は透過性を有すると共に独特の高貴感のする色彩と美しさを持っている。貝や貴石を用いることによって請求項１の効果と相まって高貴感のする色彩と美しさを時計用文字板に現すことができる。
【００３１】
また、本発明の請求項３に記載の発明の下では、裏打ち色彩膜の色彩色に白色，黒色，ブルー色，オレンジ色，ゴールド色，シルバー色などを選択している。これらの色彩色は貝や貴石の色彩を引き立てるのに好適であると共に、時計用文字板として違和感のない色彩と高級感をも感じさせる作用が生まれる。
【００３２】
また、本発明の請求項４に記載の発明の下では、光透過性基板の球面または非球面の形状をなす面が光沢面になっている。光沢があることにより貝，貴石などの独特の色彩が鮮明に見えるようになると共に裏打ち色彩膜から現れてくる濃淡色が鮮明に、綺麗に見えるようになる。
【００３３】
また、本発明の請求項５に記載の発明の下では、非球面の形状としてシリンドル形，凹シリンドル形，波形などを選択している。これらの形状は球面形状と併せて裏打ち色彩膜の色彩色の濃淡をなだらかに変化させるので微妙な色彩の変化が生まれてくる。そしてまた、加工が容易で比較的安いコストで製作することができる。
【００３４】
また、本発明の請求項６に記載の発明の下では、裏打ち色彩膜に蛍光剤が分散している。光透過性基板を透過した光を受光して発光するので、色彩が明るくなって鮮やかに見えてくる。色彩が非常に鮮明になる。
【００３５】
また、本発明の請求項７に記載の発明の下では、光透過性基板を文字板基板に形成した凹部に設けている。このような構造を取ることにより、指針と文字板との狭い隙間の間に十分に効果が現れる光透過性基板を設けることができる。また、文字板の表面の凹凸がさほど大きくならないで比較的滑らかに見えるようになり、文字板にやわらかさが生まれてくる。
【００３６】
また、本発明の請求項８に記載の発明の下では、文字板基板の光透過性基板を設けた以外の面に凹凸のある模様を設けている。この模様を設けることによって更に文字板の装飾性を高めることができる。また、光透過性基板のところに現れる色彩を更に引き立たせるのに役立つ作用を生み、高級感などを更に高める効果を生む。
【００３７】
また、本発明の請求項９に記載の発明の下では、文字板基板が光透過性を持っている。文字板基板に光透過性を持たせることでソーラセル付時計やＥＬ（エレクトロルミネッセンス）付時計の文字板として使用することができる。
【００３８】
また、本発明の請求項１０に記載の発明の下では、光透過性基板に白蝶貝，あわび貝，あこや貝などを選択している。これらの貝は、独特の色彩を持つと共に光輝感を発する。しかも非常に綺麗で高貴感、高級感を感じさせる。
【００３９】
また、本発明の請求項１１に記載の発明の下では、光透過性基板にオパール，カルセドニ，ルビー，サファイア，ヒスイ，琥珀などを選択している。これらの貴石は透過性を有しており、加工も比較的容易に加工できる。また、オパール，カルセドニ，琥珀などは独特の模様と色彩を持っており、ルビーなどは独特の色彩を持っている。また、サファイア，ヒスイなどは透過率が非常に高い。
【００４０】
そして、このような貝や貴石を用いた文字板を組み込んだ携帯時計にあっては、貝や貴石などの模様と色彩に、厚みなどの変化に応じて裏打ち色彩膜の色調が入り込んだりして微妙な色彩の変化をもたらし、文字板上に貝や貴石の微妙に変化する綺麗な色彩が現れる。このことによって、装飾性豊かで高貴感、高級感を感じさせる携帯時計が得られる。
【発明を実施するための最良の形態】
【００４１】
以下、本発明の最良の実施形態を図１〜図１０を用いて説明する。図１は本発明の第１実施形態に係る時計用文字板を用いた携帯時計の平面図を示しており、図２は図１における要部断面図、図３は本発明の第１実施形態に係る時計用文字板の要部断面図を示している。また、図４は本発明の第２実施形態に係る時計用文字板を用いた携帯時計の平面図を示しており、図５は図４における要部断面図、図６は本発明の第２実施形態に係る時計用文字板の斜視図を示している。図７は本発明の第３実施形態に係る時計用文字板の要部断面図、図８は本発明の第４実施形態に係る時計用文字板の要部断面図を示している。また、図９は本発明の第５実施形態に係る時計用文字板の平面図で、図１０は図９におけるＤ−Ｄ断面図を示している。
【００４２】
図１、図２より、本発明の第１実施形態に係る時計用文字板を用いた携帯時計３０は、ケース３１の内部に中枠３７を介して取付けた時計用文字板４０やムーブメント３８、ムーブメント３８の指針軸に取付けられた時針や分針を示す指針３４、これらを覆ったカバーガラス３２や裏蓋３６、ケース３１の嵌又部分に取付けたバンド３３、ケース３１の側面に取付けたリューズ３５、などから構成されている。この携帯時計３０の従来技術と大きく異なる所は時計用文字板４０だけで、他の構成部品は従来から開示を見ている技術と同じ仕様のものを用いている。また、ここでの時計用文字板４０は、本発明の第１実施形態に係る時計用文字板を示しており、文字板基板４１と光透過性基板４３と時字４５などが主要構成部品になって構成されるが、その詳細は図３を用いて説明する。尚、図１及び図２においての時計用文字板４０は見える要素部品のみを取り上げて記載してある。
【００４３】
図３は本発明の第１実施形態に係る時計用文字板の要部断面図を示している。図３より、この時計用文字板４０は、指針取付け用の中心孔４１ｂを形成した文字板基板４１と、文字板基板４１の上面に設けられて中心孔４３ｂを有する光透過性基板４３と、光透過性基板４３の平坦な下面に設けた裏打ち色彩膜４２と、光透過性基板４３の外周所定の位置に印刷形成した時字４５と、が主要構成部品になって構成されている。そして、光透過性基板４３の下面の裏打ち色彩膜４２と文字板基板４１とが粘着剤４４を介して粘着固定され、一体となった構造を形成している。図３において、光透過性基板４３の外形を文字板基板４１の外形より少し小さく描いてあるが、この光透過性基板４３は時計のケース３１内に組み込んだとき上方から見える文字板全域に設けているものであり、文字板全面に設けたのと同じ意味合いを持っている。
【００４４】
文字板基板４１はりん青銅や洋白などの金属から出来ており、メッキや塗装などの表面処理が施されている。光透過性基板４３は、本実施の形態では、白蝶貝やあわび貝，あこや貝などの貝を用いており、中心部には指針取付け用の小孔４３ｂが設けられて、上面４３ａは中心部に向かって凸の球面形状をなしている。そして、その上面４３ａは研磨されて光沢のある面になっている。白蝶貝やあわび貝，あこや貝などは、僅かに黄色味を帯びた白色光沢の色調を持っていて、虹色に近い貝独特の光輝色彩を発する。特に、表面が光沢面になっているとそれが鮮明に現れてくる。また、光透過性基板４３の平坦な下面に設けた裏打ち色彩膜４２は、本実施の形態では、透明なウレタン樹脂やエポキシ樹脂、アクリル樹脂などのバインダーに白色顔料を混ぜ合わせてインク化し、印刷方法で色彩膜を形成している。従って、この色彩膜４２は白色の色調を持っている。時字４５は、本実施の形態では、黒色インクを用いて印刷方法で形成している。凸の球面をした光透過性基板４３の上面に設けることから、球面に沿って形成できる方法を取っている。粘着剤４４は文字板基板４１と光透過性基板４３とを貼合せるのに用いる。これは、接着剤でも良い。
【００４５】
上記の構成を取る時計用文字板４０は、僅かに黄色味を帯びて白色光沢の色調を持つ貝の下面に白色の裏打ち色彩膜４２を設けている。このため、貝に透過性を有することから貝の黄色味が薄れて、あるいは黄色味が消えて白色さが増し、光輝色彩が鮮やかに見えるようになってくる。また、貝の上面が凸の球面をなしていることから、外周部が薄く、中
心部に行くに従って厚みが厚くなっている。これにより、外周部は光の透過率が高く、中心部に行くに従って透過率が低くなる。このため、貝の外周部は色彩膜４２の白さが良く反射して黄色味が完全に消え、白色光沢が増して光輝色彩が尚一層鮮やかに見えるようになる。一方、中心部に行くに従って色彩膜４２の反射が徐々に低くなっていくために黄色味が徐々に残るようになり、白さや光輝色彩の鮮やかさが外周部より少し落ちた状態になって見えてくる。このように、貝の白色光沢さや光輝色彩がグラデーションの如く微妙に変化して見えてくる。
【００４６】
そして、貝独特の白色光沢や光輝色彩が鮮明に現れて、それらがグラデーションの如く微妙に変化する文字板は非常に綺麗で、そして高貴に見え、尚一層の高級感を感じさせる。そして、このような時計用文字板４０を組み込んだ携帯時計３０には上記の特徴が現れて、従来の平坦な貝文字板を用いた携帯時計からでは得られない所の珍重さや高級感を感じさせる。尚、上記実施形態において、光透過性基板４３の外形は時計のケース３１に組み込んだ時に見える形としたが、文字板基板４１の外形と同じ大きさの形状としても良いことは云うまでもない。
【００４７】
次に、本発明の第２実施形態に係る時計用文字板を図４、図５、図６を用いて説明する。図４は本発明の第２実施形態に係る時計用文字板を用いた携帯時計の平面図、図５は図４における要部断面図、図６は本発明の第２実施形態に係る時計用文字板の斜視図を示している。
【００４８】
図４、図５より、本発明の第２実施形態に係る時計用文字板を用いた携帯時計５０は、ケース５１の内部に中枠５７を介して取付けた時計用文字板６０やムーブメント５８、ムーブメント５８の指針軸に取付けられた時針や分針を示す指針５４、ムーブメント５８の上部に取付けられたソーラセル５９、これらを覆ったカバーガラス５２や裏蓋５６、ケース５１の嵌又部分に取付けたバンド５３、ケース５１の側面に取付けたリューズ５５、などから構成されている。この携帯時計５０の構成で前述の第１実施形態で述べた携帯時計３０と構成と大きく異なる所は、文字板６０の下面側でムーブメント５８の上部にソーラセル５９が取付けられてソーラセル付携帯時計になっていることである。ここでの時計用文字板６０は本発明の第２実施形態に係る時計用文字板を示しており、それ以外の構成部品は従来から開示を見ている技術と同じ仕様のものを用いているのでここでの詳細説明は省略する。時計用文字板６０は、文字板基板６１、光透過性基板６３、裏打ち色彩膜６２、時字６５などが主要構成部品になって構成されるが、その詳細は図６を用いて説明する。尚、図４及び図５においての時計用文字板６０は見える要素部品のみを取り上げて記載してある。
【００４９】
本発明の第２実施形態に係る時計用文字板６０は、図６より、文字板基板６１と、文字板基板６１の上面側にあって文字板が見えるほぼ全域に設けた光透過性基板６３と、光透過性基板６３の平坦な下面に設けた裏打ち色彩膜６２と、光透過性基板６３の外周所定の位置に印刷形成した時字６５と、が主要構成部品になって構成されている。そして、光透過性基板６３の下面の裏打ち色彩膜６２と文字板基板６１とが粘着剤６４を介して粘着固定され、一体となった構造を形成している。
【００５０】
文字板基板６１は透明なアクリル樹脂やポリカーボネイト樹脂などからできていて透過性を有する。光透過性基板６３はオパール貴石からできていて、図に示すように、横幅が長く、長手方向が短い、上面凸のシリンドル（カマボコ形）形状になっている。従って、３時−９時ラインの所が一番厚みが厚く、６時、１２時の所の縁が一番厚みが薄くなっている。そして、上面６３ａは研磨されて光沢面になっている。このオパール貴石は色々な色合いのものが有るが、本実施の形態では青緑色系統の色彩を発するブルーオパールを使用している。模様、色彩がまだら状に入って独特の模様色彩を形成して非常に装飾豊かで
綺麗な貴石と云える。光透過性基板６３の平坦な下面に設けた裏打ち色彩膜６２は、本実施の形態では、オレンジ色のインクを用いて印刷し、オレンジ色調に仕上げている。印刷膜厚を少し薄めにして色彩膜６２に透過性を持たせている。そして、オパール貴石とこの色彩膜６２とを含めた光透過率をソーラセルの発電に支障のない透過率に設定している。最近のソーラセルは発電効率が非常に良くなり、１５〜２０％の光透過率でも十分満足する発電が得られるものが現れてきている。時字６５は、前述の第１実施形態と同様に、黒色インクを用いて印刷して形成している。粘着剤６４は透明なものを用いている。尚、図６に描いてある光透過性基板６３は文字板基板６１より僅かに外形を小さく描いてあるが、前述の図３で示した第１実施形態と同じように、この光透過性基板６３は時計のケース５１内に組み込んだとき上方から見える文字板全域に設けているものであり、文字板全面に設けたのと同じ意味合いを持っている。
【００５１】
上記の構成を取る時計用文字板６０は、ブルーオパール貴石からなる光透過性基板６３の色彩は、厚みの厚い部分は光透過率が低くなるのでオレンジ色調の裏打ち色彩膜６２からの反射光も少なくなってオレンジ色調の影響はさほど受けず、青緑色系の色彩は余り変化しない。一方、厚みが薄い部分に行くに従って光透過率が高くなるのでオレンジ色調の裏打ち色彩膜６２からの反射光も多くなり、オレンジ色調の影響を受けて青緑色系の色彩は淡くなり、更に、黄緑味を帯びた色彩に変化していく。このように、貴石の色彩がグラデーションの如く微妙に変化していく。
【００５２】
ここで、光透過性基板６３に用いる材料と、その下面に設ける裏打ち色彩膜６２の色調とはかなり関係をもって選択しなければならない。本実施形態では光透過性基板にブルーオパール貴石を選択し、裏打ち色彩膜６２にオレンジ色を選択した。これは、ブルーオパール貴石の青緑色系の色彩の青さをオレンジ色で少しでも和らげることを狙ったからである。このようにすることによって、文字板の色彩がどちらかと云うと明るい方向に変わり、見た目に落ち着きさを感じさせるからである。
【００５３】
光透過性基板に貴石を選択する場合、基板の形状とその加工の難易性、及び貴石の色彩なども考慮して選択しなければならない。前述の第１実施形態で説明した球面の形状、本実施形態のシリンドル形状、そして、後述の実施形態で説明する波形の形状などの場合はオパール，カルセドニ，ルビー，サファイア，ヒスイ，琥珀などを好適なものとして上げることができる。また、光透過性基板の下面に形成する裏打ち色彩膜の色調も用いる貴石の色彩や求めるデザインに応じて適宜に選択するのが望ましいが、白色，ブルー色，オレンジ色，ゴールド色，シルバー色，黒色などは落着き感、金属感、明るさ感などが出てくるので携帯時計用の文字板に利用するのに好適ではある。
【００５４】
本実施形態の時計用文字板６０は、光透過性基板６３の平坦な下面に裏打ち色彩膜６２を形成し、そして、プラスチックからなる文字板基板６１の平坦な面上に粘着剤６４を介して接着固定している。即ち、平坦面同士で接合している。このように平坦面同士で接合させると多少の熱膨張率の違いがあっても接合面で剥がれると云う問題は殆ど発生しない。このことは、前述の第１実施形態で説明した金属の文字板基板と貝を貼合せた場合も全く同じことが云える。
【００５５】
次に、本発明の第３実施形態に係る時計用文字板を図７を用いて説明する。図７は本発明の第３実施形態に係る時計用文字板の要部断面図を示している。図７より、この時計用文字板７０は、中心周辺部に円形に凹部７１ａを形成した金属からなる文字板基板７１と、上面が波形の凹凸形状を持っていて文字板基板７１の円形の凹部７１ａに填り込んだ貴石からなる光透過性基板７３と、この光透過性基板７３の平坦な下面に設けた裏打ち色彩膜７２と、文字板基板７１の外周領域上面のヘアラインの凹凸模様７１ｃ上に取付けた時字７５と、が主要構成部品になって構成している。そして、下面に裏打ち色彩膜７２を設
けた光透過性基板７３は文字板基板７１の円形の凹部７１ａに填り込んで粘着剤７４を介して文字板基板７１と粘着固定された構造を取っている。
【００５６】
ここで、文字板基板７１はりん青銅や洋白などの金属から出来ていて、外周が丸く、中心周辺部は円形に凹部７１ａを形成している。また、凹部７１ａ以外の上面部分にはヘアライン加工を施してヘアライン模様の凹凸模様７１ｃを設けてある。そして、Ｎｉ，Ｐｔメッキなどの表面処理を施してある。光透過性基板７３は貴石からなっていて、本実施形態では赤色のルビーを使用している。外径が円形で、上面７３ａは比較的凹凸差の大きい平行の波形の形状に仕上げている。また、上面７３ａは研磨を施して光沢面に仕上げている。光透過性基板７３の平坦な下面に設けた裏打ち色彩膜７２は、本実施形態ではアルミ蒸着膜で形成してあって、その色彩は白色系の色合いになっている。時字７５は金属で形成したもので接着剤を介して所定の位置に接着固定している。尚、本実施形態ではヘアライン模様上面に直接接着固定したが、ヘアライン模様上面に透明な保護膜を形成し、その保護膜の上に接着固定するようにしても良い。
【００５７】
上記の構成を取る時計用文字板７０は、白色系の裏打ち色彩膜７２の作用を受けてルビー貴石の色彩が鮮明になって現れるが、その色彩も波形による厚みの変化によって厚いところは濃い色彩で、薄いところは淡い色彩になって現れてくる。そして、濃淡の色彩が並行的に順次並んで繋がっていく。しかも、その濃淡が急激に変化するのではなく、徐々に色彩が濃くなり、徐々に色彩が薄くなると云う連続色彩でもって微妙に変化した色彩が現れてくる。このように、微妙に濃淡が変化したルビー貴石の色彩が鮮明に現れることによって装飾性が豊かになり、尚一層の高貴さをかもし出す。更にまた、波による凹凸から感じさせる立体感、ヘアライン模様による装飾性の豊かさなども加わって尚一層の高級感をかもし出す。
【００５８】
本実施形態では、裏打ち色彩膜としてアルミ蒸着膜を用いたが、銀金属の蒸着膜や白色印刷膜などであっても同様な効果を生む。このように、白色系の色彩色を持った裏打ち色彩膜を用いると光透過性基板の色彩が濃淡をもって現れてくる。
【００５９】
次に、本発明の第４実施形態に係る時計用文字板を図８を用いて説明する。図８は本発明の第４実施形態に係る時計用文字板の要部断面図を示している。図８より、この時計用文字板８０は、中心周辺部に円形に凹部８１ａを形成したプラスチックからからなる文字板基板８１と、上面８３ａが凹の球面をなしていて文字板基板８１の円形の凹部８１ａに填り込んだ貝からなる光透過性基板８３と、この光透過性基板８３の平坦な下面に設けた裏打ち色彩膜８２と、文字板基板８１の外周領域上面の凹凸模様８１ｃ上に形成した透明な保護膜８６と、この保護膜８６上の所定の位置に取付けた時字８５と、が主要構成部品になって構成している。そして、下面に裏打ち色彩膜８２を設けた光透過性基板８３は文字板基板８１の円形の凹部８１ａに填り込んで粘着剤８４を介して文字板基板８１と粘着固定された構造を取っている。また、この時計用文字板８０はソーラセル用の文字板として仕上げているものである。
【００６０】
ここで、文字板基板８１は透過性を持つアクリル樹脂やポリカーボネイト樹脂などのプラスチック樹脂から出来ていて、外周が丸く、中心周辺部は円形に凹部８１ａを形成している。また、凹部８１ａ以外の上面部分には凹凸模様８１ｃが設けられている。この凹凸模様８１ｃは装飾性を高めるために設けているもので、格子模様，梨地模様，旭光模様，サークル模様，ストライプ模様，編み目模様，幾何学的模様など適宜デザインなどに応じて選択することができる。また、この凹凸模様８１ｃはソーラセルからの反射光を分散させる作用を生むのでソーラセルの色調を和らげる効果も生む。この文字板基板８１は凹部８１ａや凹凸模様８１ｃを設けた状態で射出成形方法で成形する。光透過性基板８３は白蝶貝やあわび貝、あこや貝などの貝で形成しており、外径が円形で、上面８３ａが凹の球
面形状に仕上げている。そして、上面８３ａは研磨によって光沢のある面に仕上げている。光透過性基板８３の平坦な下面に設けた裏打ち色彩膜８２は本実施形態では白色の印刷膜で形成してあって、その厚みは比較的薄く透過性を持たせている。そして、貝から成る光透過性基板８３とこの色彩膜８２とを含めた光透過率をソーラセルの発電に支障のない透過率に設定している。保護膜８６は透明なウレタン樹脂やアクリル樹脂，エポキシ樹脂などを用いて印刷方法などで形成する。この保護膜８６は凹凸模様８１ｃを保護すると同時に時字８５の接着を容易にするために設けている。時字８５は金属から形成しており、電鋳方法で形成したもの、機械加工方法で形成したものなどを用いることができる。この時字８５は接着剤を介して保護膜８６上の所定の位置に接着固定する。
【００６１】
上記の構成を取る時計用文字板８０は、貝からなる光透過性基板８３の部分における色彩は前述の第１実施形態で述べた結果と同じ結果が現れる。但し、本実施形態に用いた貝の光透過性基板８３は凹の球面をなしているため、外周部が厚く、中心部に行くに従って薄くなる。従って、外周部は透過率が低く、中心部に行くに従って透過率が高くなるから白さや光輝色彩の鮮明さは外周部より中心部の方が良く現れてくる。つまり、前述の第１実施形態で述べた状態とは中心部と外周部が逆の状態になって現れる。貝の白さや光輝色彩がグラデーションの如く微妙に変化して見えてくる。更に、凹凸模様８１ｃの装飾などと相まって時計用文字板８０全体が装飾豊かになり、更に高級感などが増してくる。
【００６２】
次に、本発明の第５実施形態に係る時計用文字板を図９及び図１０を用いて説明する。図９は本発明の第５実施形態に係る時計用文字板の平面図で、図１０は図９におけるＤ−Ｄ断面図を示したものである。図９、図１０より、本発明の第５実施形態に係る時計用文字板９０は、外形が角形の形状をして中心領域に角形の凹部９１ａを設けたプラスチックからなる文字板基板９１と、文字板基板９１の角形の凹部９１ａに填り込んで上面が凹シリンドル形の形状を持った貝から成る光透過性基板９３と、この光透過性基板９３の平坦な下面に設けた裏打ち色彩膜９２と、文字板基板９１の外周領域所定の位置に取付けた時字９５と、が主要構成部品になって構成されている。そして、文字板基板９１の凹部９１ａに下面に裏打ち色彩膜９２を設けた光透過性基板９３が填り込んで粘着剤９４を介して粘着固定した構造を取っている。そして、この時計用文字板９０はソーラセル用の文字板として仕上げているものである。
【００６３】
ここで、時計用文字板９０を構成する構成部品で前述の第４実施形態における構成部品と大きく相違するところは、文字板基板９１が外形と凹部９１ａ形状が角形の形状を取っていることと凹部９１ａ以外の上面に凹凸模様が無いこと、光透過性基板９３に貝を用いているがその外形が角形で上面が凹のシリンドル形の形状を取っていること、そして、光透過性基板９３の下面に設けた白色印刷膜からなる裏打ち色彩膜９２に蛍光剤９２ｂが分散していることである。
【００６４】
貝からなる光透過性基板９３は上面が凹のシリンドル形状をなしている。これは、（凸の）シリンドル形即ちカマボコ形の逆の形状を示しており、外側が厚く、中心部に行くに従って薄くなる形状を云っている。従って、図９に示す光透過性基板９３で、３時−９時ラインの部分が一番薄くて一様な厚みをなし、６時側と１２側の方向の端の部分が一番厚くて一様な厚みになっている。
【００６５】
次に、裏打ち色彩膜９２は白色顔料と白色蛍光剤９２ｂとを配合したインクで印刷形成している。従って、この裏打ち色彩膜９２には白色蛍光剤９２ｂが分散した状態で設けられている。
【００６６】
そして、貝から成る光透過性基板９１と裏打ち色彩膜９２とを含めた光透過率をソーラセルの発電に支障のない透過率に設定している。
【００６７】
このような構成を取る時計用文字板９０は、光透過性基板９３を透過した光を受けて蛍光剤が発光するので光透過性基板９３の貝の色彩が非常に明るく鮮明になって見える。更に、白色蛍光剤と白色顔料の作用を受けて貝の黄色味の色が非常に薄くなったり、或いは、完全に消去されて白色光沢の白さが増し、貝独特の光輝色彩が綺麗に、明るく鮮明に見えるようになる。この白色光沢や光輝色彩は貝の厚みに応じて順次微妙に変化していく。一番薄い３時−９時ラインの部分は白さや光輝色彩が一番鮮やかに現れ、６時側や１２時側に行くに従って徐々にその鮮やかさが微妙に変化して落ちていく。白色蛍光剤を混ぜることによって白さが一段と白く、且つ、明るくなるなるので文字板が明るく、そして、貝の光輝色彩が一段と鮮やかに視認されて高貴さと高級感が現れてくる。
【００６８】
光透過性基板に貝と貴石を用いた時計用文字板を以上詳細に説明してきたが、この時計用文字板を用いた携帯時計は、前述の第１実施形態で説明したように、時計そのものの価値を高めて時計としての高貴さや高級感を高める効果を生む。そして、従来見ることができなかった新たなデザインの時計を提供することができる。
【００６９】
尚今まで、光透過性基板に貝と貴石を用いたもので説明をしてきた。しかし、本発明は貝や貴石に限定するものではない。着色などを施したガラスやプラスチックなどでも同様な結果が得られるものである。
【００７０】
また、本発明の実施形態を説明するに当たってメカ機能の携帯時計やソーラセル付の携帯時計の中での時計用文字板について説明してきたが、この文字板はＥＬ（エレクトロルミネッセンス）付の携帯時計の文字板としても適用できるものである。
【図面の簡単な説明】
【００７１】
【図１】本発明の第１実施形態に係る時計用文字板を用いた携帯時計の平面図である。
【図２】図１における要部断面図である。
【図３】本発明の第１実施形態に係る時計用文字板の要部断面図である。
【図４】本発明の第２実施形態に係る時計用文字板を用いた携帯時計の平面図である。
【図５】図４における携帯時計の要部断面図である。
【図６】本発明の第２実施形態に係る時計用文字板の斜視図である。
【図７】本発明の第３実施形態に係る時計用文字板の要部断面図である。
【図８】本発明の第４実施形態に係る時計用文字板の要部断面図である。
【図９】本発明の第５実施形態に係る時計用文字板の平面図である。
【図１０】図９におけるＤ−Ｄ断面図である。
【図１１】特許文献１に示されたところの貝曲面文字板の概略斜視図である。
【図１２】図１１における貝曲面文字板の断面図である。
【図１３】特許文献２に示されたところの時計用文字板の平面図である。
【図１４】図１３における時計用文字板の要部断面図である。
【図１５】図１３における時計用文字板の製造工程を示す断面図である。
【符号の説明】
【００７２】
３０、５０    携帯時計
３１、５１    ケース
３２、５２    カバーガラス
３３、５３    バンド
３４、５４    指針
３５、５５    リューズ
４０、６０、７０、８０、９０    時計用文字板
４１、６１、７１、８１、９１    文字板基板
４２、６２、７２、８２、９２    裏打ち色彩膜
４３、６３、７３、８３、９３    光透過性基板
４４、６４、７４、８４、９４    粘着剤
４５、６５、７５、８５、９５    時字
８６          保護膜
【図１】
2005207844.tif 000003
【図２】
2005207844.tif 000004
【図３】
2005207844.tif 000005
【図４】
2005207844.tif 000006
【図５】
2005207844.tif 000007
【図６】
2005207844.tif 000008
【図７】
2005207844.tif 000009
【図８】
2005207844.tif 000010
【図９】
2005207844.tif 000011
【図１０】
2005207844.tif 000012
【図１１】
2005207844.tif 000013
【図１２】
2005207844.tif 000014
【図１３】
2005207844.tif 000015
【図１４】
2005207844.tif 000016
【図１５】
2005207844.tif 000017